(57)【要約】【課題】  少ない部品点数で形態を変更することのできる子守帯を提供する。【解決手段】  子守帯は、乳幼児の背部を支持するための背当て部３と、  乳幼児の頭部を支持するためのものであり、背当て部３の上方に位置するヘッドサポート部４と、ヘッドサポート部４の両側部から側方に張り出している１対の側方張出部５と、背当て部３の両側縁に連なって上下方向に延在する１対の側部形成部材６と、１対の側方張出部の先端と１対の側部形成部材とを着脱可能に連結する連結手段７，８，９とを備える。ヘッドサポート部４は、連結手段による連結を維持した状態のままで背当て部３の背面に折り返し可能に設けられている。【選択図】      図１４
2006025857.tif 000002
【特許請求の範囲】
【請求項１】
乳幼児の背部を支持するための背当て部と、
乳幼児の頭部を支持するためのものであり、前記背当て部の上方に位置するヘッドサポート部と、
前記ヘッドサポート部の両側部から側方に張り出している１対の側方張出部と、
前記背当て部の両側縁に連なって上下方向に延在する１対の側部形成部材と、
前記１対の側方張出部の先端と前記１対の側部形成部材とを着脱可能に連結する連結手段とを備え、
前記ヘッドサポート部は、前記連結手段による連結を維持した状態のままで前記背当て部の背面に折り返し可能に設けられている、子守帯。
【請求項２】
前記連結手段は、前記側方張出部と前記側部形成部材とを長さ調節可能に連結する調節ベルトを含み、
前記調節ベルトを相対的に長くしたとき、前記ヘッドサポート部は前記背当て部とほぼ同方向に延在し、
前記調節ベルトを相対的に短くしたとき、前記ヘッドサポート部は、前記背当て部に対して起立した形態となる、請求項１に記載の子守帯。
【請求項３】
前記背当て部は、背面側において袋状部分を形成する背面カバーと、前記背面カバーの下に出し入れ可能に装着される背当て板とを含み、
前記背当て板を取り外した状態において、前記背当て部の上方部分は、前記ヘッドサポート部と共に前記背当て部の下方部分の背面上に重なるように折り返し可能である、請求項１または２に記載の子守帯。
【請求項４】
前記背当て部は、背当て部の上部で幅方向に延びる第１パッド部と、前記第１パッド部の下に隣接して幅方向に延びる第２パッド部とを含み、
前記第１パッド部は、前記ヘッドサポート部と共に前記第２パッド部の背面上に重なるように折り返し可能である、請求項１〜３に記載の子守帯。
【請求項５】
前記１対の側部形成部材上に固着されて上下方向に延びる第１ベルト部材および第２ベルト部材を備え、
前記第１ベルト部材と第２ベルト部材とは、乳幼児の股部を支持する股当て部上で交差し、
前記第１ベルト部材の一端および第２ベルト部材の他端は、それぞれ、その両端に互いに係合する連結具を有し、
前記第２ベルトの一端および前記第１ベルトの他端は、それぞれ、その両端に互いに係合する連結具を有している、請求項１〜４のいずれかに記載の子守帯。
【発明の詳細な説明】
【技術分野】
【０００１】
この発明は、子守帯に関し、特に横抱きおよび縦抱きの両状態に対応できる子守帯に関するものである。
【背景技術】
【０００２】
乳幼児を保持して歩行する際に用いる子守帯としては、乳児の成長に合わせてその保持形態を変更することが好ましい。首が座る前の乳児期には、乳児を寝かせた状態にして横抱きにする形態が好ましい。一方、首がすわって身体が大きくなった段階では、おんぶまたは縦抱きの形態が好ましい。
【０００３】
横抱きの形態で乳児を保持しているとき、乳児の頭頂部が露出するのは安全上好ましくない。そのため、横抱きの形態に適した子守帯の場合、通常、乳児の頭頂部を取り囲む立壁を備えている。一方、おんぶまたは縦抱きの形態に適した子守帯の場合、上記のような立壁の存在は邪魔なものとなる。
【０００４】
上述したような横抱きの形態および縦抱きの形態の両状態を実現できる子守帯が、既にいくつか提案されている。
【０００５】
特開２００３−４０１号公報（特許文献１）は、横抱き、おんぶ、だっこといった複数の保持方法に対し、保持方法に応じた安全性や快適性を付与できる敷材付ベビーキャリア（子守帯）を開示している。この公報に開示されたベビーキャリア（子守帯）では、キャリア本体（子守帯）とは別に２種類の敷材が用意されており、乳児の成長段階に応じてこれらの２種類の敷材を使い分けるようにしている。具体的には、首がすわっていない乳児期には、乳児の頭部を覆う立壁状のガード部を有する敷材を使用する。一方、首がすわって身体が大きくなった乳幼児に対しては、ガード部を有しない敷材を使用する。
【０００６】
特開２０００−２４５５８１号公報（特許文献２）は、子供の成長に合わせて乳児から幼児まで使用できる子守帯を開示している。この公報に開示された子守帯では、子守帯本体とは別に、乳児の頭部の周りを囲む側面立上り部を持つ乳児用ヘッドキープと、側面立上り部を有しない幼児用ヘッドサポートとが用意され、乳幼児の成長段階に応じてこれらの２種類の部品を使い分けるようにしている。具体的には、身体の小さい乳児を横抱きで保持するときに、側面立上り部を持つ乳児用ヘッドキープを子守帯本体に取り付ける。一方、身体が比較的大きい幼児を縦抱きで保持するときに、乳児用ヘッドキープを取り外し、その代わりに幼児用ヘッドサポートを子守帯本体に取り付ける。
【特許文献１】特開２００３−４０１号公報
【特許文献２】特開２０００−２４５５８１号公報
【発明の開示】
【発明が解決しようとする課題】
【０００７】
特開２００３−４０１号公報および特開２０００−２４５５８１号公報に開示された子守帯では、いずれも、子守帯本体とは別に２種類の部品を用意しておき、乳幼児の成長段階に応じてこれらの２種類の部品を使い分けている。
【０００８】
使い易さおよびコスト面を考慮すると、部品点数は少ない方がよい。
【０００９】
この発明の目的は、少ない部品点数で形態を変更することのできる子守帯を提供することである。
【課題を解決するための手段】
【００１０】
この発明に従った子守帯は、乳幼児の背部を支持するための背当て部と、乳幼児の頭部を支持するためのものであり、背当て部の上方に位置するヘッドサポート部と、ヘッドサポート部の両側部から側方に張り出している１対の側方張出部と、背当て部の両側縁に連なって上下方向に延在する１対の側部形成部材と、１対の側方張出部の先端と１対の側部形成部材とを着脱可能に連結する連結手段とを備える。ヘッドサポート部は、連結手段による連結を維持した状態のままで背当て部の背面に折り返し可能に設けられている。
【００１１】
上記構成によれば、ヘッドサポート部を折り返せば、背当て部よりも上方に位置する領域が開放されるので、身体の大きい乳幼児を縦抱きにしたり、おんぶしたりする場合に、ヘッドサポートの存在が邪魔にならない。
【００１２】
前記連結手段は、好ましくは、側方張出部と側部形成部材とを長さ調節可能に連結する調節ベルトを含む。この調節ベルトを相対的に長くしたとき、ヘッドサポート部は背当て部とほぼ同方向に延在し、調節ベルトを相対的に短くしたとき、ヘッドサポート部は、背当て部に対して起立した形態となる。身体の小さい乳児の場合には、好ましくは、ヘッドサポート部を背当て部に対して起立した状態にし、横抱きで乳児を保持する。身体が大きくなった段階では、好ましくは、ヘッドサポート部を背当て部とほぼ同じ方向に延在するようにし、縦抱きまたはおんぶの状態で乳幼児を保持する。
【００１３】
背当て部は、好ましくは、背面側において袋状部分を形成する背面カバーと、背面カバーの下に出し入れ可能に装着される背当て板とを含む。背当て板を取り外した状態において、背当て部の上方部分は、ヘッドサポート部と共に背当て部の下方部分の背面上に重なるように折り返し可能である。このように折り返せば、背当て部の上方が大きく開放されるので、例えば、乳幼児を前向きにして縦抱きする場合に適した形態となる。このような折り返しに便宜を与えるために、好ましくは、背当て部は、背当て部の上部で幅方向に延びる第１パッド部と、第１パッド部の下に隣接して幅方向に延びる第２パッド部とを含む。第１パッド部は、ヘッドサポート部と共に第２パッド部の背面上に重なるように折り返し可能である。
【００１４】
好ましい実施形態では、子守帯は、１対の側部形成部材上に固着されて上下方向に延びる第１ベルト部材および第２ベルト部材を備える。第１ベルト部材と第２ベルト部材とは、乳幼児の股部を支持する股当て部上で交差する。第１ベルト部材の一端および第２ベルト部材の他端は、それぞれ、その両端に互いに係合する連結具を有し、第２ベルトの一端および第１ベルトの他端は、それぞれ、その両端に互いに係合する連結具を有している。
【発明を実施するための最良の形態】
【００１５】
図１および図２は、この発明の一実施形態の子守帯の展開状態を示す図であり、図１は子守帯の内側の面を示し、図２は子守帯の外側の面を示している。図３は、背当て板１２を取り出した状態を示している。
【００１６】
図４は、ヘッドサポート部４が背当て部３とほぼ同方向に延在している使用形態を示し、図５は、ヘッドサポート部４が背当て部３に対して起立した使用形態を示している。図６はヘッドサポート部４を背当て部３の背面側に折り返した状態を示し、図７はヘッドサポート部４および背当て部３の上方部分を折り返した状態を示している。
【００１７】
図８〜図１３は、乳幼児を保持する種々の形態を示している。図８は横抱き状態を示し、図９は母親と乳幼児とが対面した縦抱き状態を示している。図１０は、図９に示す状態から、ヘッドサポート部４を折り返した状態を示している。図１１は、おんぶの状態を示している。図１２は、図１１の状態から、ヘッドサポート部４を折り返した状態を示している。図１３は、乳幼児が前方に向いている縦抱き状態を示している。
【００１８】
主に図１および図２を参照して、子守帯の構成を説明する。
【００１９】
図示した実施形態の子守帯は、基本的には一体となった一つの部材からなり、種々の乳幼児保持形態を実現できるようになっている。具体的には、子守帯は、乳幼児の腹部を支持する前当て部１と、前当て部１に連なり乳幼児の股部を支持する股当て部２と、股当て部２に連なり乳幼児の背部を支持する背当て部３と、背当て部３に連なり乳幼児の頭部を支持するヘッドサポート部４と、ヘッドサポート部４の両側部から側方に張り出している１対の側方張出部５と、背当て部３の両側縁に連なって上下方向に延在する１対の側部形成部材６と、１対の側方張出部５の先端と１対の側部形成部材６とを着脱可能に連結する連結手段とを備える。
【００２０】
各側部形成部材６は、背当て部３の側部に位置して乳幼児の側部を支持する側壁形成部６１と、背当て部３の上端から上方に延びている肩掛け帯部６２とを含む。
【００２１】
子守帯は、１対の側部形成部材６上に固着されて上下方向に延びる第１ベルト部材１３および第２ベルト部材１４を備える。第１ベルト部材１３および第２ベルト部材１４は、股当て部２上で交差する。第１および第２ベルト部材１３，１４は、その上下端が肩掛け帯部６２および股当て部２を越えて長く延びており、その両端に連結具を有している。図示する実施形態では、第１ベルト部材１３は、その上端に連結差込具１７を有し、第２ベルト部材は、その下端に第１ベルト部材１３の連結差込具１７と係合する連結受具１８を有している。同様に、第２ベルト部材１４は、その上端に連結差込具１７を有し、第１ベルト部材１３は、その下端に第２ベルト部材１４の連結差込具１７と係合する連結受具１８を有している。
【００２２】
１対の側方張出部５の先端と１対の側部形成部材６とを着脱可能に連結する連結手段は、１対の側方張出部５の先端から突出して延びる調節ベルト７と、調節ベルト７を挿通させるものであり、１対のベルト部材１３，１４上に設けられた連結具８とを含む。
【００２３】
図示した実施形態では、連結具８は子守帯の背面上に露出しており、調節ベルト７を挿通させるベルト通し穴を有している。連結具８は、表裏反転できるような構造としてもよい。
【００２４】
図２および図３から明らかなように、調節ベルト７には、長さ調節具９が取り付けられている。調節ベルト７の先端は、連結具８のベルト通し穴を通った後、長さ調節具９を通過するようにされる。長さ調節具９を通過する先端部分の長さを調節することにより、調節ベルトの長さを自由に変えられる。
【００２５】
図２および図３に示すように、背当て部３の背面の両側部にリング１０が取り付けられている。これに対応して、前当て部１の先端部分の両側部には、リング１０に着脱可能に係合するフック１９が取り付けられている。
【００２６】
図３に示すように、背当て部３は、背面側において袋状部分を形成する背面カバー１１と、背面カバー１１の下に出し入れ可能に装着される背当て板１２とを含む。図１および図２は背当て板１２が装着されている状態を示し、図３は背当て板１２を取り外した状態を示している。背面カバー１１の先端は、互いに接合する面ファスナ１５および１６によってその開口部が閉じられるようになっている。背当て板１２が背面カバー１１の下に収納されている状態では、背当て部３の剛性が高まる。一方、背当て板１２を取り外した状態では、背当て部３の上方部分を背面側に折り返すことが可能となる。
【００２７】
なお、ヘッドサポート部４および１対の側方張出部５は、その内部にパッド等の比較的剛性のある部材を有していて、所定の保形性を発揮する。ヘッドサポート部４は背当て部３に対して屈曲可能であり、また１対の側方張出部５はヘッドサポート部４に対して屈曲可能である。
【００２８】
図１４は、ヘッドサポート部４および背当て部３の断面構造の一例を示し、図１５〜図１７はヘッドサポート部４および背当て部３の形態の変化を示している。図示するように、ヘッドサポート部４は、ヘッドサポート芯材４１と、その上に配置されたヘッドサポートパッド４２とを備える。背当て部３は、その上方領域において幅方向に延びる上部背当て芯材３３と、その上の第１パッド部３１と、第１パッド部３１の下に隣接して幅方向に延びる第２パッド部３２とを備える。背当て板１２は、第１パッド部３１および第２パッド部３２の背後に位置し、かつその上部が第１パッド部３１と上部背当て芯材３３との間に位置するようにされる。
【００２９】
図１５に示す形態は、調節ベルト７の長さを調節することによって得られる。すなわち、調節ベルト７の長さを短くすれば、ヘッドガード部４は、背当て部３の上縁から起立するようなる。
【００３０】
図１６に示す形態では、ヘッドガード部４は、背当て部３の背面上に折り返されている。図１７に示す形態では、背当て板１２が取り外され、上部背当て芯材３３および第１パッド部３１を含む背当て部上部領域が、ヘッドガード部４とともに、背当て部４の下方の領域上に重なるように折り返されている。
【００３１】
なお、背当て板１２を取り外すことなく、その位置を下方にずらすようにして、背当て部上部領域を、ヘッドガード部とともに、背当て部４の下方の領域上に折り返すようにしてもよい。また、第１パッド部３１、第２パッド部３２および上部背当て芯材３３がある程度の保形性を発揮するので、背当て板１２を備えないようにすることも可能である。
【００３２】
次に子守帯の種々の使用形態について説明する。
【００３３】
図４は、１対の側方張出部５から延びている調節ベルト７の長さを長くしている状態を示している。前当て部１に取り付けられているフック１９は、リング１０に係合している。図４に示す状態では、ヘッドサポート部４は、背当て部３とほぼ同方向に延在する。図９に示す対面縦抱き、または図１１に示すおんぶをするとき、図４に示す使用形態とする。
【００３４】
図５は、１対の側方張出部５の先端から延びている調節ベルト７の長さを短くしている状態を示している。この状態では、ヘッドサポート部４は、背当て部３に対して起立した形態となる。図８に示す横抱きをするとき、図５に示す使用形態とする。起立したヘッドサポート部４および１対の側方張出部５は、乳幼児の頭部の周りを取り囲むので安全上好ましい。
【００３５】
図６は、調節ベルト７と連結具８とを連結した状態のままで、ヘッドサポート部４を背当て部３の背面上に重なるように折り返した状態を示している。身体の大きい乳幼児を図１０に示すように対面縦抱きするとき、あるいは図１２に示すようにおんぶするときに、図６に示す使用形態とする。ヘッドサポート部４を折り返すことにより、背当て部３よりも上方に位置する領域が開放されるので、ヘッドサポート部４の存在が邪魔にならない。
【００３６】
図７は、調節ベルト７と連結具８とを連結した状態のままで、背当て板１２を取り外し、背当て部３の上方部分をヘッドサポート部４と共に背当て部３の下方部分の背面上に重なるように折り返した状態を示している。図１３に示すように乳幼児を前方に向けて縦抱きをするときには、図７に示す使用形態とし、乳幼児の顔の前の視界を大きく開放する。
【００３７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変更を加えることが可能である。
【産業上の利用可能性】
【００３８】
この発明は、横抱きおよび縦抱きの両状態に対応できる子守帯に有利に利用され得る。
【図面の簡単な説明】
【００３９】
【図１】子守帯の展開状態を示す図であり、内側の面を示している。
【図２】子守帯の展開状態を示す図であり、外側の面を示している。
【図３】子守帯の展開状態を示す図であり、背当てパッドを取り外した状態を示している。
【図４】子守帯の一使用形態を示す図であり、ヘッドサポート部が背当て部とほぼ同方向に延在している状態を示している。
【図５】子守帯の他の使用形態を示す図であり、ヘッドサポート部が背当て部に対して起立している状態を示している。
【図６】子守帯の他の使用形態を示す図であり、ヘッドサポート部を背当て部の背面側に折り返した状態を示している。
【図７】子守帯の他の使用形態を示す図であり、背当て部の上方部分をヘッドサポート部と共に折り返した状態を示している。
【図８】横抱きの形態を示す図である。
【図９】対面縦抱きの形態を示す図である。
【図１０】ヘッドサポート部を折り返して対面縦抱きをしている形態を示す図である。
【図１１】おんぶの形態を示す図である。
【図１２】ヘッドサポート部を折り返しておんぶをしている形態を示す図である。
【図１３】乳幼児が前方に向いている縦抱き状態を示している。
【図１４】ヘッドサポート部および背当て部の断面構造の一例を示す図である。
【図１５】ヘッドサポート部を起立させた状態の断面図である。
【図１６】ヘッドサポート部を背当て部の背面上に重なるように折り返した状態の断面図である。
【図１７】ヘッドサポート部および背当て部の上部領域を背当て部の下方領域の背面上に重なるように折り返した状態の断面図である。
【符号の説明】
【００４０】
１  前当て部、２  股当て部、３  背当て部、４  ヘッドサポート部、５  側方張出部、６  側部形成部材、６１  側壁形成部、６２  肩掛け帯部、７  調節ベルト、８  連結具、９  長さ調節具、１０  リング、１１  背面カバー、１２  背当て板、１３  第１ベルト部材、１４  第２ベルト部材、１５，１６  面ファスナ、１７  連結差込具、１８  連結受具、１９  フック、３１  第１パッド部、３２  第２パッド部、３３  上部背当て芯材、４１  ヘッドサポート部、４２  ヘッドサポートパッド。
【図１】
2006025857.tif 000003
【図２】
2006025857.tif 000004
【図３】
2006025857.tif 000005
【図４】
2006025857.tif 000006
【図５】
2006025857.tif 000007
【図６】
2006025857.tif 000008
【図７】
2006025857.tif 000009
【図８】
2006025857.tif 000010
【図９】
2006025857.tif 000011
【図１０】
2006025857.tif 000012
【図１１】
2006025857.tif 000013
【図１２】
2006025857.tif 000014
【図１３】
2006025857.tif 000015
【図１４】
2006025857.tif 000016
【図１５】
2006025857.tif 000017
【図１６】
2006025857.tif 000018
【図１７】
2006025857.tif 000019